(57)【特許請求の範囲】
【請求項１】
前面枠の一側に設けられたヒンジ具に開閉自在に装着されるパチンコ機の球受皿において、該ヒンジ具に対応して取付板の上下端に軸孔と支軸を一体に形成すると共に長孔を設けた軸支部材を、前記長孔を介して球受皿裏面に可動自在に設けたことを特徴とするパチンコ機の球受皿。
【請求項２】
前記球受皿を複数の部材により構成すると共に、前記軸支部材を取付ビスにより取付けると同時に球受皿の複数の部材を共締めするようにしたことを特徴とする請求項１記載のパチンコ機の球受皿。
【請求項３】
前記球受皿の裏面にスプリングの収容部を設けると共に、前記軸支部材に該スプリングの押圧片を設け、前記軸支部材を収容部に収容したスプリングによって常に付勢するようにしたことを特徴とする請求項１または２記載のパチンコ機の球受皿。
【発明の詳細な説明】
【０００１】
【発明の属する技術分野】
本発明は、前面枠の前面に開閉自在に設けられたパチンコ機の球受皿に関するものである。
【０００２】
【従来の技術】
従来のパチンコ機の球受皿は、金属製の開閉板の前面にパチンコ球を貯留する皿部を設けて構成され、前面枠の前面に回動自在に装着されていた。
【０００３】
また、前面枠の端部あるいは近傍には支軸および軸孔を有するヒンジ具が設けられ、一方球受皿には支軸および軸孔に対向位置して金属製の開閉板を曲げ加工して軸受孔と軸没入溝が形成され、さらに該軸没入溝にスプリングを介して別体に設けた軸ピンが取付けられていた。
【０００４】
【発明が解決しようとする課題】
しかしながら、ある程度の大きさの開閉板の側縁を曲げ加工して軸受孔と軸没入溝を形成するには面倒な作業が必要となって手間と時間が掛かり、さらに別体に形成した小さな軸ピンにスプリングを取付けるのが面倒で、組立に手間が掛かっていた。
【０００５】
また、球受皿の組立は、部材毎の組付けにビスが使われ、最終的に球受皿が完成するまでには数多くのビスが使われているため、そのねじ止め作業に手間が掛かって球受皿の組立作業を著しく困難にしていた。
【０００６】
本発明は、上記した問題点に鑑みてなされたもので、その目的とするところは、球受皿の前面枠に対する装着を容易にし、しかも球受皿の組立を容易にしたパチンコ機の球受皿を提供しようとするものである。
【０００７】
【課題を解決するための手段】
上記目的を達成するために、本発明は、前面枠の一側に設けられたヒンジ具に開閉自在に装着されるパチンコ機の球受皿において、該ヒンジ具に対応して取付板の上下端に軸孔と支軸を一体に形成すると共に長孔を設けた軸支部材を、該長孔を介して球受皿裏面に可動自在に設けた。
【０００８】
前記球受皿を複数の部材により構成すると共に、前記軸支部材を取付ビスにより取付けると同時に球受皿の複数の部材を共締めするようにした。具体的には、前記球受皿は、飾りベースと皿部と装飾カバーとからなり、装飾カバーの裏面に取付用ボスを設けると共に、軸支部材を取付ビスにより飾りベースに取付けると同時に皿部を介して取付用ボスに螺締めして球受皿を組付けるようにして、ビスの数を減らしてコストの低減を図ると共に、球受皿の組付けを簡単にした。
【０００９】
さらに、前記球受皿の裏面にスプリングの収容部を設けると共に、前記軸支部材に該スプリングの押圧片を設け、前記軸支部材を収容部に収容したスプリングによって常に付勢するようにして、スプリングの装着を簡単にした。また、前記押圧片を収容部内を摺動するようにするのが好ましく、収容部がガイドの役目をして軸支部材のスライドがスムーズとなる。
【００１０】
前記球受皿裏面に、ガイド軸を設けるのが好ましく、該ガイド軸を前記長孔に遊嵌し、ガイド軸に取付ビスを螺締めするようにするようにして、軸支部材の動きをスムーズにするのがよい。
【００１１】
なお、本発明のパチンコ機の球受皿は、前面枠の前面に設けられる打球供給用の上部球受皿に限られることなく、上部球受皿の余剰球を貯留する下部球受皿が開閉自在に設けられた場合にも適用可能である。
【００１２】
【発明の実施の形態】
次に、本発明の実施の形態について図面を参照して説明する。図１はパチンコ機の正面図、図２はガラス扉枠と上部球受皿とを開放した状態を示すパチンコ機の下部部分の斜視図である。１はパチンコ機の機枠、２は機枠１の前面に開閉自在に装着された前面枠である。該前面枠２は、ほぼ中央に窓孔３が設けられた額縁状に形成されており、その窓孔３の一側にガラス扉枠４と打球供給用の上部球受皿５が開閉自在に装着されている。また、ガラス扉枠４の後方であり、かつ窓孔３の裏面部分には遊技盤６が着脱自在に装着され、該遊技盤６の前面側には発射レール７から打ち出されたパチンコ球を誘導するガイドレール８が配設されている。９は前面枠２の下部に装着された上部球受皿５からの余剰球を貯留する下部球受皿、１０は発射レール７の打球を遊技盤に発射する操作ハンドルである。
【００１３】
上部球受皿５は、図３ないし図６に示すように飾りベース１１とパチンコ球を貯留する皿部１２と該皿部１２の前面上部を覆う装飾カバー１３とを一体に組付けて構成されている。
【００１４】
飾りベース１１は前面側の左右両側に膨出状の側部領域１４，１４が形成されており、該側部領域１４，１４間に前記皿部１２が組付けられるようになっている。また、飾りベース１１には賞球流出口１５と打球供給口１６が開設されており、裏面の一側には軸支部材１７を設け、他側には施錠部材１８を設けている。また、前記打球供給口１６と連通して発射レール７に打球を一球ずつ供給する打球供給装置１９が設けられている。
【００１５】
施錠部材１８は、図６に示すように支持片２０と係止片２１とによりＬ形に形成されている。支持片２０には長孔２２，２２が開設されており、スプリング２３の押え片２４を折曲げ形成している。一方、係止片２１には、係止爪２５と上端にスプリング２３の付勢に抗して押圧操作する操作片２６を折曲げ形成している。また、飾りベース１１の裏面には、ガイド軸２７，２７を突設すると共に、スプリング２３の収容部２８を前面が開口した箱状に形成している。そして、スプリング２３を収容部２８に収容し、ガイド軸２７，２７を長孔２２，２２に遊嵌すると共に押え片２４よりスプリング２３の上端を押え、取付ビス２９，２９をガイド軸２７，２７に螺着することによって、施錠部材１８は上下にスライド自在に支持され、常にスプリング２３によって上方に付勢された状態にある。
【００１６】
前記皿部１２は、飾りベース１１に開設した賞球流出口１５が臨む一端から他側端に向かって底面が緩るやかに下り傾斜すると共に、その下流側に誘導側壁３０によって順次幅狭に形成されパチンコ球を一列に整列して流下させる整流通路３１が形成されている。この整流通路３１の終端は、飾りベース１１の打球供給口１６に連通しており、整流通路３１のパチンコ球は、打球供給口１６から打球供給装置１９へ導かれる。また、整流通路３１の終端底面には球抜口３２が開設されており、該球抜口３２の下方に下部球受皿９と連通する球抜通路３３が設けられている。
【００１７】
前記球抜口３２には、該球抜口３２を開閉するシャッター板３４が横方向へスライド自在に設けられている。また、球抜口３２より前部寄りに位置した皿部１２の上面壁１２ａ部分には透孔３５が開設されており、該透孔３５に球抜釦３６が設けられている。この球抜釦３６は、皿部１２の前面側に位置する中空部内に臨まされ、軸３７に軸孔３８を挿通することにより上下方向へ回動自在に軸支されている。
【００１８】
前記球抜釦３６の下方であり、かつ皿部１２の裏面側に位置する中空部内にはＬ字形に屈曲する作動レバー３９が軸部４０を介して回動自在に軸支されており、その下端の縦長孔４１にシャッター板３４のスライドピン４２を係合させている。また、作動レバー３９の屈曲部のほぼ中間に係合ピン４３が突設されており、該係合ピン４３をガイド透孔４４から前面側へ貫通させて球抜釦３６の縦長孔４５に係合させている。また、作動レバー３９にはスプリング４６の一端が接続されており、このスプリング４６の付勢力によってシャッター板３４を常に球抜口３２を閉じる方向に付勢すると共に、球抜釦３６を上方に回動付勢するようになっている。
【００１９】
前記装飾カバー１３は、皿部１２を前方と下方から覆うように膨出状に形成された中央装飾部１３ａおよび該中央装飾部１３ａより低く形成され、かつ飾りベース１１の側部領域１４，１４前面を覆う装飾部１３ｂ，１３ｂを一体に有する。そして、装飾カバー１３裏面には複数の取付用ボス４７が突設されている。４８は、軸支部材１７の隙間を塞ぐ不正防止用の折曲片である。
【００２０】
このように構成される上部球受皿５は、図８に示すように前面枠２側に設けられるヒンジ具４９と上部球受皿５側に設けられる軸支部材１７とにより回動自在に装着される。ヒンジ具４９は前記前面枠２の窓孔３の一側に設けられており、ガラス扉枠４の下辺に対応する位置に固定された軸取付板５０下面に形成された回動軸５１と、窓孔３下端に設けられた軸受溝５２とで構成されている。
【００２１】
しかして、前記軸支部材１７は、図６に示すように帯状の取付板５３に長孔５４，５４を形成すると共に、下端にスプリング５５の押え片５６を折曲げ形成している。また取付板５３の一側を直角に屈曲させると共に、軸孔５７を有する軸筒部５８を形成し、下端には偏平状の支軸５９を一体に形成している。一方、飾りベース１１の裏面には、ガイド軸６０，６０を突設すると共に、その下方に前面が開口した箱状のスプリング５５の収容部６１を形成している。そして、スプリング５５を収容部６１に収容し、ガイド軸６０，６０を長孔５４，５４に遊嵌すると共に押え片５６によりスプリング５５の下端を押え、取付ビス６２，６２をガイド軸６０，６０に螺着することによって、上下にスライド自在に支持され、常にスプリング５５によって下方に付勢されている。このように、スプリング５５の装着も煩わしくなく、簡単に軸支部材１７を取付けることができる。
【００２２】
また図７に示すように、取付板５３を取付ビス６２，６２でガイド軸６０，６０に螺着する際に、前記装飾カバー１３の取付用ボス４７，４７を同時に共締するようにしており、ビスを減らして上部球受皿５の組立を簡単にすることができる。なお、球受皿は上記したものに限らず、従来技術で説明したような金属製の前板の前面に皿部を設けた球受皿でもよく、軸支部材を前板を介して取付ビスで皿部に螺着するようにすればよい。この場合前板を曲げ加工する手間が省ける。また、前面枠の前面に開閉自在に設けられる下部球受皿にも適用可能である。
【００２３】
以上のように構成された上部球受皿５を前面枠２に装着するには、図９鎖線に示すように上部球受皿５を傾斜した状態で、軸支部材１７の軸孔５７を窓孔３に設けられた回動軸５１に嵌挿する。次に、軸支部材１７をスプリング５５の付勢に抗して軸筒部５８に回動軸５１を挿入しながら支軸５９が上部球受皿５下面より引っ込んだ状態まで上動し、上部球受皿５を水平にしする。そして、支軸５９の先端とと軸受溝５２とが合致した状態で軸支部材１７をスプリング５５の付勢により戻すと図９実線に示すように支軸５９が軸受溝５２に嵌まり前面枠２に対して上部球受皿５が回動自在に装着される。このとき押え片５６が収容部６１内を摺動し、収容部６１がガイドの役割を果し、軸支部材１７の動きが安定しスムーズとなる。このように、軸孔５７と支軸５９が一緒に可動するため嵌め易い。
【００２４】
【発明の効果】
以上説明したように本発明に係るパチンコ機の球受皿は、軸孔と支軸を一体に設けた軸支部材を別体に形成して球受皿に可動自在に取付けるようにしたので、球受皿の前面枠への装着を容易にすることができる。
【００２５】
また、軸止部材の取付ビスにより球受皿を構成する複数の部材の組付けを同時に行うようにしたので、取付ビスの数を減らしてコストの低減を図ると共に、球受皿の組立の作業性がよくなる。
【００２６】
さらに、球受皿の裏面にスプリングの収納部を設けることで、スプリングの装着が簡単になると共に、収納部が軸支部材のガイドの働きをして軸支部材の動きがスムーズになる等の多くの効果を有する。
【図面の簡単な説明】
【図１】パチンコ機の正面図である。
【図２】ガラス扉枠と上部球受皿とを開放した状態を示すパチンコ機の下部部分の斜視図である。
【図３】上部球受皿の斜視図である。
【図４】図３の分解斜視図である。
【図５】上部球受皿の裏面斜視図である。
【図６】軸支部材および施錠部材を外した状態の上部球受皿の裏面斜視図である。
【図７】軸支部材部分の断面図である。
【図８】前面枠から上部球受皿を外した状態の要部斜視図である。
【図９】前面枠に装着した状態の軸支部材部分の断面図である。
【符号の説明】
２            前面枠
５            上部球受皿
７            下部球受皿
１７          軸支部材
４９          ヒンジ具
５３          取付板
５４          長孔
５５          スプリング
５６          押え片
５７          軸孔
５９          支軸
６１          収納部
６２          取付ビス
【図１】
0004215303.tif 000002
【図２】
0004215303.tif 000003
【図３】
0004215303.tif 000004
【図４】
0004215303.tif 000005
【図５】
0004215303.tif 000006
【図６】
0004215303.tif 000007
【図７】
0004215303.tif 000008
【図８】
0004215303.tif 000009
【図９】
0004215303.tif 000010